(57)【要約】  印刷が施されたシート（３）に処理を施す処理装置において、シート（３）にエンボス加工を施すエンボス装置（５）と、シート（３）の表面に最後の加工処理を施す最終処理装置とを備える。最終処理装置は、シート（３）に番号を印刷する番号印刷装置（６）と、シート（３）にニスを塗布するバーニッシング装置とのうち少なくとも１つを備える。  印刷工程の適切な段階でエンボス加工を行い、印刷の最終プロセスを行う際の給紙に支障をきたすことなくエンボス加工を行うことが可能な処理装置を提供する。
2018070410.tif 000002
【特許請求の範囲】
【請求項１】
印刷が施されたシートに処理を施す処理装置において、
シートにエンボス加工を施すエンボス装置と、
シートの表面に最後の加工処理を施す最終処理装置とを備え、
前記最終処理装置は、
シートに番号を印刷する番号印刷装置と、
シートにニスを塗布するバーニッシング装置とのうち少なくとも１つを備えることを特徴とする処理装置。
【請求項２】
請求項１記載の処理装置において、
前記エンボス装置は、
シートを保持するシート保持装置および第１の版を保持する第１版保持装置を備え、シート１枚相当の有効面を有する単径の圧胴と、
第２の版を保持する第２版保持装置を備え、前記圧胴に対して対接離反可能に構成されるとともにシート１枚相当の有効面を有する単径の版胴とを備えることを特徴とする処理装置。
【請求項３】
請求項２記載の処理装置において、
前記第１版保持装置と前記第２版保持装置は、凹版と凸版のいずれも保持可能であることを特徴とする処理装置。
【発明の詳細な説明】
【技術分野】
【０００１】
本発明は、有価証券となるシートにエンボス加工と最後の加工処理を施す処理装置に関する。
【背景技術】
【０００２】
従来、シートの表面にエンボス加工を行うことができるものとしては、例えば特許文献１に記載された印刷機がある。特許文献１中には、エンボス加工と、箔の転写や印刷などを行うことができる枚葉印刷機が示されている。
ところで、ポリマー素材のシートによって形成された紙幣においては、偽造防止技術や使用者への配慮或いは使用感の向上などの付加価値を付けるために、印刷済のシートに触感が異なる凸部をエンボス加工によって設けることが望まれている。
【先行技術文献】
【特許文献】
【０００３】
【特許文献１】特開２００８−２９６４４８号公報
【発明の概要】
【発明が解決しようとする課題】
【０００４】
特許文献１に記載された印刷機によってエンボス加工が施されたシートは、印刷の最終プロセスを行う他の加工機に移し替えられることがある。印刷の最終プロセスとは、絵柄印刷の後であって、シートを切断したり折り曲げる以前に、シートの表面に何らかの処理を施すプロセスである。この処理としては、番号印刷やニスの塗布などがある。  
エンボス加工後のシートに印刷の最終プロセスの処理を施すにあたっては、最終プロセスの処理を実施する加工機に、エンボス加工後の多数のシートが積み重ねられた状態で移し替えられる。
シートに凸部をエンボス加工によって設けると、エンボス加工部分においてシートの厚みが部分的に厚くなる。このようなエンボス加工後のシートが積み重ねられると、エンボス加工部分が他のシートに強く押し付けられるようになる。このため、上述した最終プロセスの処理を実施する加工機においてシートを供給するときに、エンボス加工部分が他のシートに引っ掛かることがあり、給紙不良となるおそれがある。【０００５】
本発明の目的は、絵柄印刷が行われた後であってかつシートの移し替えが終了した印刷工程の適切な段階でエンボス加工を行い、印刷の最終プロセスを行う際の給紙に支障をきたすことなくエンボス加工を行うことが可能な処理装置を提供することである。
【課題を解決するための手段】
【０００６】
この目的を達成するために、本発明に係る処理装置は、印刷が施されたシートに処理を施す処理装置において、シートにエンボス加工を施すエンボス装置と、シートの表面に最後の加工処理を施す最終処理装置とを備え、前記最終処理装置は、シートに番号を印刷する番号印刷装置と、シートにニスを塗布するバーニッシング装置とのうち少なくとも１つを備えるものである。
【発明の効果】
【０００７】
本発明においては、印刷の最終プロセスでエンボス加工を行うことができるので、エンボス加工後のシートが別の加工機に移し替えられてこのシートに印刷あるいはニスの塗布などが行われることがない。このため、絵柄印刷が行われた後であってかつシートの移し替えが終了した段階、すなわちエンボス加工部分が絵柄印刷や給紙に悪影響を及ぼすことがない印刷工程の適切な段階でエンボス加工を行うことができる。
したがって、本発明によれば、印刷の最終プロセスを行う際の給紙に支障をきたすことなくエンボス加工を行うことが可能な処理装置を提供することができる。
【図面の簡単な説明】
【０００８】
【図１】図１は、第１の実施の形態による処理装置の構成を示す側面図である。
【図２】図２は、エンボスユニットの構成を示す側面図である。
【図３】図３は、第２の実施の形態による処理装置の構成を示す側面図である。
【図４】図４は、第３の実施の形態による処理装置の構成を示す側面図である。
【図５】図５は、第４の実施の形態による処理装置の構成を示す側面図である。
【図６】図６は、第５の実施の形態による処理装置の構成を示す側面図である。
【図７】図７は、第６の実施の形態による処理装置の構成を示す側面図である。
【発明を実施するための形態】
【０００９】
（第１の実施の形態）
以下、本発明に係る処理装置の一実施の形態を図１および図２によって詳細に説明する。
図１に示す処理装置１は、紙幣を含む有価証券等の製造過程の最終段階においてエンボス加工と最後の加工処理（以下、「最終処理」という）とを行う装置である。ここでいう「最終処理」とは、絵柄印刷の後であってシートの切断や折り曲げ加工などが行われる以前にシートの表面に施される処理である。この最終処理としては、番号印刷やニスの塗布などの処理がある。
この処理装置１は、シート供給装置２と、搬入装置４と、エンボス装置５と、番号印刷装置６と、シート排出装置７とから構成されている。処理装置１において、図１において最も右側に位置するシート供給装置２から供給されたシート３は、搬入装置４と、エンボス装置５と、番号印刷装置６とを経て、図１において最も左側に位置するシート排出装置７に送られる。図１においては、シート３の搬送路が太線によって描かれている。
【００１０】
シート３は、紙幣や銀行券などを含む有価証券となるポリマー素材のシートで、絵柄印刷が終了した状態の中間品である。なお、この処理装置１は、ポリマー素材のシートのみならず、紙製のシートにもエンボス加工と最終処理とを行うことが可能である。
この処理装置１に用いられるシート供給装置２と、搬入装置４と、エンボス装置５と、番号印刷装置６と、シート排出装置７は、それぞれ独立した装置としてユニット化されており、シートにエンボス加工と最終処理とを連続して行うことができるように組み合わせられている。
【００１１】
シート供給装置２は、多数のシート３が積載された昇降式のフィーダーパイル１１と、最も上に位置するシート３をフィーダーボード１２に載せるサッカー装置（図示せず）とを備えている。フィーダーパイル１１には、シート３が一方の表面を上方に向けた状態で積み重ねられている。この明細書においては、便宜上、フィーダーパイル１１に載置された状態で上方を指向するシート３の一方の表面を「上面」といい、他方の表面を「下面」という。
【００１２】
搬入装置４は、スイング装置１３と第１の渡胴１４とを備えている。スイング装置１３は、フィーダーボード１２によって送られたシート３の搬送方向下流側の端部を保持するくわえ爪装置（図示せず）を備え、フィーダーボード１２と第１の渡胴１４との間で揺動する。第１の渡胴１４は、スイング装置１３の揺動と同期して回転する。
図示しないサッカー装置によってフィーダーボード１２に載せられたシート３は、搬入装置４のスイング装置１３と第１の渡胴１４とを介してエンボス装置５の第２の渡胴１５に送られる。第１および第２の渡胴１４，１５は、図示してはいないが、シート３の搬送方向下流側の端部を保持するくわえ爪装置を備えている。第１および第２の渡胴１４，１５は、このくわえ爪装置によってシート３をくわえて保持し、この保持状態で回転することによりシート３を搬送する。
【００１３】
エンボス装置５は、上述した第２の渡胴１５と、エンボス加工用圧胴１６および版胴１７とを備えている。エンボス加工用圧胴１６は、図２に示すように、外周部に１つの切欠き部２１を有し、切欠き部２１が設けられていない有効面２２がシート１枚相当の広さを有する、単径の胴である。切欠き部２１は、エンボス加工用圧胴１６の外周部の一部が他の部位に較べて小径になるように形成されている。有効面２２は、エンボス加工用圧胴１６における、シート３が密着可能な外周面である。また、シート１枚相当の広さ」とは、シート３を１枚だけ巻き付けることが可能な広さである。この有効面２２には、エンボス加工用の第１の版２３が巻き付けられている。第１の版２３は、シート３の上面に接触する。
【００１４】
切欠き部２１内におけるエンボス加工用圧胴１６の回転方向（図２においては時計方向）の上流側端部には、シート３の搬送方向下流側の端部をくわえて保持するくわえ爪装置２４が設けられている。このくわえ爪装置２４は、爪台２５と、この爪台２５に対して揺動するくわえ爪２６などを備えている。この実施の形態においては、このくわえ爪装置２４が本発明でいう「シート保持装置」に相当する。
【００１５】
爪台２５は、爪台バー２７の先端部に取り付けられている。爪台バー２７は、圧胴本体２８に圧胴１６の軸線と平行な軸線を中心として揺動可能に取り付けられている。この爪台バー２７は、第１の版２３の一端部を圧胴本体２８と協働して保持する機能を有している。第１の版２３の他端部は、切欠き部２１内におけるエンボス加工用圧胴１６の回転方向の下流側端部、すなわち、爪台２５とは反対側の端部に設けられた巻取部材２９に取り付けられている。
【００１６】
この第１の版２３は、一端部が爪台バー２７によって圧胴本体２８に固定されるとともに、他端部が巻取部材２９に巻取られることによって、有効面２２に巻き付けられた状態でエンボス加工用圧胴１６に保持されている。この実施の形態においては、爪台バー２７と巻取部材２９とが本発明でいう「第１版保持装置」に相当する。爪台バー２７と巻取部材２９は、凹版と凸版のいずれも保持可能である。
【００１７】
版胴１７は、外周部に１つの切欠き部３１を有し、切欠き部３１が設けられていない有効面３２がシート１枚相当の広さを有する、単径の胴である。また、版胴１７は、図２に示すように、軸心部に支持軸１７ａを有している。この支持軸１７ａは、偏心軸受１７ｂを介してフレーム（図示せず）に回転自在に支持されている。偏心軸受１７ｂは、フレームに回動自在に支持されているとともに、支持軸１７ａを軸心Ｃとは偏心した位置で回転自在に支持している。版胴１７は、支持軸１７ａを中心にして回転する。
偏心軸受１７ｂの外周部には、図示してはいないが、フランジが設けられている。このフランジには、棒状のアーム１７ｃの一端部が回動自在に連結されている。このアーム１７ｃの他端部には、ステッピングモータ１７ｄが連結されている。このステッピングモータ１７ｄの基端部は、支軸１７ｅを介してフレームに揺動自在に支持されている。
【００１８】
つまり、ステッピングモータ１７ｄを作動させてアーム１７ｃを軸方向に移動させると、偏心軸受１７ｂが回動する。偏心軸受１７ｂが回動することによって、支持軸１７ａが偏心軸受１７の軸心Ｃを中心とする仮想の円に沿って移動する。すなわち、偏心軸受１７ｂの回動に伴って、版胴１７が図２中に実線で示すようにエンボス加工用圧胴１６に対接する位置と、図２中に二点鎖線で示すように圧胴１６から離反する位置との間で移動する。この版胴１７の有効面３２にはエンボス加工用の第２の版３３が巻き付けられている。第２の版３３は、シート３の下面に接触する。
【００１９】
版胴１７の切欠き部３１における版胴１７の回転方向の両端部には、それぞれ版万力３４が設けられている。これらの版万力３４は、第２の版３３を版胴１７の周面に沿った方向に引っ張りながらその一端部と両端部とを保持するものである。第２の版３３は、これらの版万力３４によって両端部が引かれることによって、版胴１７の有効面３２に巻き付けられた状態で版胴１７に保持されている。この実施の形態においては、一対の版万力３４が本発明でいう「第２版保持装置」に相当する。
【００２０】
版万力３４は、凹版と凸版とのいずれも保持可能である。エンボス加工用圧胴１６に凹版からなる第１の版２３が取付けられた場合は、版胴１７に凸版からなる第２の版３３が取付けられる。
第１の版２３と第２の版３３の回転方向の位置決めは、版万力３４を使用して第２の版３３の位置を版胴１７の回転方向にずらすことによって行うことができる。
【００２１】
番号印刷装置６は、第１〜第３の番号印刷ユニット４１〜４３から構成されている。図１に示すように、第１〜第３の番号印刷ユニット４１〜４３は、シート３の搬送路となるように、カスケードに並べて配置されている。この実施の形態においては、この番号印刷装置６が本発明でいう「最終処理装置」に相当する。
この実施の形態においては、第１〜第３の番号印刷ユニット４１〜４３は、互いに同一の構成のものが用いられている。
【００２２】
この実施の形態による番号印刷装置６は、番号印刷ユニット毎の第３〜第５の渡胴４４〜４６と、第１〜第３の番号印刷用圧胴４７〜４９と、第１〜第３の番号胴５０〜５２と、第１〜第３のインキ供給装置５３〜５５と、第１〜第３の検査用カメラ５６〜５８などを備えている。第３〜第５の渡胴４４〜４６と、第１〜第３の番号印刷用圧胴４７〜４９は、図示してはいないが、シート３の搬送方向下流側の端部を保持するくわえ爪装置を備えている。第１〜第３の番号印刷用圧胴４７〜４９は、シート３の上面に接触する。
【００２３】
第３の渡胴４４は、シート３をエンボス装置５のエンボス加工用圧胴１６から受け取って第１の番号印刷用圧胴４７に送る。
第４の渡胴４５は、シート３を第１の番号印刷用圧胴４７から受け取って第２の番号印刷用圧胴４８に送る。
第５の渡胴４６は、シート３を第２の番号印刷用圧胴４８から受け取って第３の番号印刷用圧胴４９に送る。
第１〜第３の番号胴５０〜５２は、通し番号を印刷するための番号器（図示せず）を備えており、第１〜第３の番号印刷用圧胴４７〜４９の下部に対接している。番号器は、第１〜第３の番号印刷用圧胴４７〜４９によって搬送されているシート３の下面に番号を印刷する。
【００２４】
第１〜第３のインキ供給装置５３〜５５は、それぞれ、インキを第１〜第３の番号器５０〜５２に供給する。
第１〜第３の検査用カメラ５６〜５８は、第１〜第３の番号印刷ユニット４１〜４３で行われた番号印刷の良否判定を行うためのもので、第１〜第３の番号印刷用圧胴４７〜４９で搬送されている番号印刷終了後のシート３を下方から撮像する。良否判定は、この第１〜第３の検査用カメラ５６〜５８で撮像して得られた画像に基づいて行われる。
【００２５】
シート排出装置７は、第３の番号印刷用圧胴４９と隣接するチェーン式の搬送装置６１と、第１〜第３のデリバリーパイル６２〜６４とを有している。搬送装置６１は、第３の番号印刷用圧胴４９の軸方向に並ぶ一対のデリバリーチェーン６１ａと、これらのデリバリーチェーン６１ａの間に架け渡された多数の爪竿（図示せず）と、これらの爪竿にそれぞれ設けられたくわえ爪装置（図示せず）などを備えている。
【００２６】
この搬送装置６１によって搬送されるシート３は、第１〜第３の検査用カメラ５６〜５８を用いて行った検査の結果に基づいて良品と不良品とに分けられ、第１〜第３のデリバリーパイル６２〜６４に振り分けられる。良否判定により良品と判定されたシート３は、第１および第２のデリバリーパイル６２，６３に積載され、不良品と判定されたシート３は、第３のデリバリーパイル６４に積載される。
【００２７】
このように構成された処理装置１においては、絵柄の印刷が終了しているシート３にエンボス装置５によってエンボス加工が施され、その後、このシート３に番号印刷装置６によって番号印刷が施される。このため、この処理装置１を使用することによって、紙幣を含む有価証券などの印刷の最終プロセスでエンボス加工を行うことができるので、エンボス加工後のシートが別の加工機に移し替えられてこのシートに印刷あるいはニスの塗布などが行われることがない。
この実施の形態によれば、絵柄印刷が行われた後であってかつシートの移し替えが終了した段階、すなわちエンボス加工部分が絵柄印刷や給紙に悪影響を及ぼすことがない印刷工程の適切な段階でエンボス加工を行うことができる。
したがって、印刷の最終プロセスを行う際の給紙に支障をきたすことなくエンボス加工を行うことが可能な処理装置を提供することができる。
【００２８】
この実施の形態によるエンボス装置５は、シート１枚相当の有効面２２を有する単径のエンボス加工用圧胴１６と、この圧胴１６に対して対接離反可能に構成されるとともにシート１枚相当の有効面３２を有する単径の版胴１７とを備えている。エンボス加工用圧胴１６は、シート３を保持するくわえ爪装置（シート保持装置）および第１の版２３を保持する爪台バー２７および巻取部材２９（第１版保持装置）を備えている。版胴１７は、第２の版３３を保持する版万力３４（第２版保持装置）を備えている。
【００２９】
エンボス品質は、塑性変形にて耐久性をもたせ、かつ塑性変形にて破れず、凸部形状がくっきりしていて触覚に優れている必要がある。この実施の形態によれば、エンボス加工用圧胴１６と版胴１７とがそれぞれ単径のシリンダーで構成されているから、第１の版２３と第２の版３３とが１対１の関係となり、回転毎に凹凸の位置が合致することになってこの要求を満たすことができる。また、圧胴１６と版胴１７とが互いに単径どうしのシリンダーであるので、第１の版２３と第２の版３３との位置調整も容易である。したがって、この実施の形態によれば、エンボス品質が高くなる処理装置を提供することができる。
【００３０】
この実施の形態によるエンボス加工用圧胴１６の爪台バー２７および巻取部材２９（第１版保持装置）と、版胴１７の版万力３４（第２版保持装置）は、凹版と凸版のいずれも保持可能である。エンボスは触覚で券種を判断することができるようにする機能であり、基本的には銀行券などのシート３の表裏どちら側に凸エンボスがあっても触覚には問題ないが、デザイン上どちらかに決める必要がある。言い換えれば、銀行券にエンボス加工を施すための処理装置には、表裏どちら側にもデザインにあわせてエンボス加工ができる機能を要求される。この実施の形態によれば、凹版面と凸版面は双方のシリンダー（圧胴１６と版胴１７）のどちらにも取付け可能であるから、銀行券のデザインの自由度が高い処理装置を提供することができる。
【００３１】
（第２の実施の形態）
本発明に係る処理装置は、図３に示すように構成することができる。図３において、図１および図２によって説明したものと同一もしくは同等の部材については、同一符号を付し詳細な説明を適宜省略する。
図３に示す処理装置７１は、図１に示した処理装置１とは最終処理装置が異なり、その他が同一となるものである。このため、この処理装置７１のシート供給装置２と、搬入装置４と、エンボス装置５と、シート排出装置７の詳細な説明は省略する。
【００３２】
この実施の形態による最終処理装置は、バーニッシング装置７２である。このバーニッシング装置７２は、シート３の上面にニスを塗布する第１のバーニッシングユニット７３と、シート３の下面にニスを塗布する第２のバーニッシングユニット７４とを備えている。
第１のバーニッシングユニット７３は、シート３の搬送路の一部を構成する第１のバーニッシング用圧胴７５とスケルトン胴７６とを有している。第１のバーニッシング用圧胴７５は、エンボス加工用圧胴１６と隣接する位置であって、エンボス加工用圧胴１６とスケルトン胴７６との間に配置されている。これらの第１のバーニッシング用圧胴７５とスケルトン胴７６は、第１のバーニッシングユニット７３のフレーム（図示せず）にそれぞれ回転自在に支持されている。また、これらの圧胴７５とスケルトン胴７６は、図示してはいないが、シート３の搬送方向下流側の端部を保持するくわえ爪装置を備えている。第１のバーニッシング用圧胴７５は、シート３をエンボス装置５のエンボス加工用圧胴１６から受け取って搬送する。第１のバーニッシング用圧胴７５にはシート３の下面が接触する。スケルトン胴７６は、この圧胴７５からシート３を受け取って第２のバーニッシングユニット７４に送る。第１のバーニッシング用圧胴７５の上部には、第１のバーニッシング版胴７７が対接している。この第１のバーニッシング版胴７７の上部には第１のアニロックスローラ７８が対接している。この第１のアニロックスローラ７８には、ニスを供給するための第１のチャンバー装置７９が接続されている。このニスは、紫外線硬化型ニスである。
【００３３】
第２のバーニッシングユニット７４は、シート３の搬送路の一部を構成する乾燥胴８１と、第２のバーニッシング用圧胴８２とを有している。乾燥胴８１は、スケルトン胴７６と隣接する位置であって、スケルトン胴７６と第２のバーニッシング用圧胴８２との間に配置されている。これらの乾燥胴８１と第２のバーニッシング用圧胴８２は、第２のバーニッシングユニット７４のフレーム（図示せず）にそれぞれ回転自在に支持されている。また、これらの乾燥胴８１と圧胴８２は、図示してはいないが、シート３の搬送方向下流側の端部を保持するくわえ爪装置を備えている。乾燥胴８１は、シート３をスケルトン胴７６から受け取って搬送する。この乾燥胴８１の上方近傍には第１の乾燥装置８３が設けられている。この第１の乾燥装置８３は、第１のバーニッシングユニット７３においてシート３に塗布されたニスを乾燥（固化）させるものである。この実施の形態による第１の乾燥装置８３は、乾燥胴８１によって搬送されているシート３の上面に紫外線を照射する。
【００３４】
第２のバーニッシング用圧胴８２は、シート３を乾燥胴８１から受け取ってシート排出装置７の搬送装置６１に渡す。この圧胴８２の下部には、第２のバーニッシング版胴８４が対接している。この第２のバーニッシング版胴８４の下部には第２のアニロックスローラ８５が対接している。この第２のアニロックスローラ８５には、ニスを供給するための第２のチャンバー装置８６が接続されている。このニスは、紫外線硬化型ニスである。
この第２のバーニッシングユニット７４によってシート３の下面に塗布されたニスは、シート排出装置７に設けられている第２の乾燥装置８７によって乾燥（固化）させられる。第２の乾燥装置８７は、搬送装置６１によって搬送されているシート３の下方に配置されており、このシート３の下面に紫外線を照射する。
【００３５】
この実施の形態による処理装置７１においては、絵柄の印刷が終了しているシート３にエンボス装置５によってエンボス加工が施され、その後、このシート３にバーニッシング装置７２によってバーニッシング処理が施される。このため、この処理装置７１を使用することによって、紙幣を含む有価証券などの印刷の最終プロセスでエンボス加工を行うことができるので、エンボス加工後のシートを別の加工機に移し替えてこのシートにさらにバーニッシング処理を施すことがなくなり、印刷の最終プロセスを行う際の給紙に支障をきたすことなくエンボス加工を行うことができる。 
【００３６】
（第３の実施の形態）
本発明に係る処理装置は、図４に示すように構成することができる。図４において、図１〜図３によって説明したものと同一もしくは同等の部材については、同一符号を付し詳細な説明を適宜省略する。
図４に示す処理装置９１は、図３に示した処理装置７１とは搬入装置４とエンボス装置５との間の構成が異なり、その他が同一となるものである。このため、この処理装置９１のシート供給装置２と、搬入装置４と、エンボス装置５と、バーニッシング装置７２と、シート排出装置７の詳細な説明は省略する。
【００３７】
搬入装置４とエンボス装置５との間には、本発明でいう「最終処理装置」の一部を構成する上流側バーニッシング装置９２が設けられている。この上流側バーニッシング装置９２は、シート３の上面にニスを塗布するもので、シート３の搬送路を構成する第３のバーニッシング用圧胴９３と第６の渡胴９４とを備えている。これらの圧胴９３と第６の渡胴９４は、図示してはいないが、シート３の搬送方向下流側の端部を保持するくわえ爪装置を備えている。
【００３８】
第３のバーニッシング用圧胴９３は、搬入装置４の第１の渡胴１４からシート３を受け取って搬送する。この圧胴９３にはシート３の下面が接触する。第６の渡胴９４は、シート３をこの圧胴９３から受け取ってエンボス装置５の第２の渡胴１５に送る。
第３のバーニッシング用圧胴９３の上部には、第３のバーニッシング版胴９５が対接している。この第３のバーニッシング版胴９５の上部には第３のアニロックスローラ９６が対接している。
【００３９】
この第３のアニロックスローラ９６には、ニスを供給するための第３のチャンバー装置９７が接続されている。このニスは、紫外線硬化型ニスで、シート３に塗布された後にシート３が圧胴９３によって搬送されている途中で第３の乾燥装置９８によって乾燥（固化）される。第３の乾燥装置９８は、第３のバーニッシング用圧胴９３の上方近傍に配置されており、この圧胴９３によって搬送されているシート３の上面に紫外線を照射する。
【００４０】
この実施の形態による処理装置９１においては、絵柄の印刷が終了しているシート３の上面に上流側バーニッシング装置９２によってニスが塗布され、その後、エンボス装置５によってエンボス加工が施される。そして、エンボス加工後に下流側のバーニッシング装置７２によってシート３の上面と下面とにそれぞれニスが塗布されて完成に至る。このため、この処理装置９１においても、紙幣を含む有価証券などの印刷の最終プロセスでエンボス加工を行うことができるので、エンボス加工後のシートを別の加工機に移し替えてこのシートにさらに印刷あるいはニスの塗布などの処理を施すことがなくなり、印刷の最終プロセスを行う際の給紙に支障をきたすことなくエンボス加工を行うことができる。
【００４１】
（第４の実施の形態）
本発明に係る処理装置は、図５に示すように構成することができる。図５において、図１〜図４によって説明したものと同一もしくは同等の部材については、同一符号を付し詳細な説明を適宜省略する。
図５に示す処理装置１０１は、図４に示す処理装置９１とは上流側バーニッシング装置９２とエンボス装置５の上流部の構成が異なり、その他が同一となるものである。このため、この処理装置１０１のシート供給装置２と、搬入装置４と、エンボス装置５の主要部となる下流部と、バーニッシング装置７２と、シート排出装置７の詳細な説明は省略する。
【００４２】
この実施の形態による上流側バーニッシング装置９２は、シート３の下面にニスを塗布するもので、シート３の搬送路を構成する第７の渡胴１０２と第４のバーニッシング用圧胴１０３とを備えている。これらの第７の渡胴１０２と圧胴１０３は、図示してはいないが、シート３の搬送方向下流側の端部を保持するくわえ爪装置を備えている。第７の渡胴１０２は、搬入装置４の第１の渡胴１４からシート３を受け取って搬送する。第４のバーニッシング用圧胴１０３は、シート３を第７の渡胴１０２から受け取ってエンボス装置５の上流部に設けられている第８の渡胴１０４に送る。
【００４３】
第４のバーニッシング用圧胴１０３は、シート３の上面に接触する。また、この第４のバーニッシング用圧胴１０３の下部には、第４のバーニッシング版胴１０５が対接している。この第４のバーニッシング版胴１０５には第４のアニロックスローラ１０６が対接している。この第４のアニロックスローラ１０６には、ニスを供給するための第４のチャンバー装置１０７が接続されている。このニスは、紫外線硬化型ニスで、シート３に塗布された後にシート３が第４のバーニッシング用圧胴１０３によって搬送されている途中で第４の乾燥装置１０８によって乾燥（固化）される。第４の乾燥装置１０８は、第４のバーニッシング用圧胴１０３の下方近傍に配置されており、この圧胴１０３によって搬送されているシート３の下面に紫外線を照射する。
【００４４】
この実施の形態によるエンボス装置５の上流部には、第８の渡胴１０４と第９の渡胴１０９とが設けられている。第８および第９の渡胴１０４，１０９は、図示してはいないが、シート３の搬送方向下流側の端部を保持するくわえ爪装置を備えている。上流側バーニッシング装置９２でニスが塗布されたシート３は、第４のバーニッシング用圧胴１０３から第８の渡胴１０４と第９の渡胴１０９とを介してエンボス装置５の下流部の第２の渡胴１５に送られる。このエンボス装置５の下流部は、第２の渡胴１５とエンボス加工用圧胴１６および版胴１７とによって構成されている。
【００４５】
この実施の形態による処理装置１０１においては、絵柄の印刷が終了しているシート３の下面に上流側バーニッシング装置９２によってニスが塗布され、その後、エンボス装置５によってエンボス加工が施される。そして、エンボス加工後に下流側のバーニッシング装置７２によってシート３の上面と下面とにそれぞれニスが塗布される。このため、この処理装置１０１においても、紙幣を含む有価証券などの印刷の最終プロセスでエンボス加工を行うことができるので、エンボス加工後のシートを別の加工機に移し替えてこのシートにさらに印刷あるいはニスの塗布などの処理を施すことがなくなり、印刷の最終プロセスを行う際の給紙に支障をきたすことなくエンボス加工を行うことができる。
【００４６】
（第５の実施の形態）
本発明に係る処理装置は、図６に示すように構成することができる。図６において、図１〜図５によって説明したものと同一もしくは同等の部材については、同一符号を付し詳細な説明を適宜省略する。
図６に示す処理装置１１１は、図１に示す処理装置１の番号印刷装置６とシート排出装置７との間に乾燥ユニット１１２と、図３に示したバーニッシング装置７２とを加えたものである。このため、この処理装置１１１のシート供給装置２と、搬入装置４と、エンボス装置５と、番号印刷装置６と、バーニッシング装置７２と、シート排出装置７の詳細な説明は省略する。この処理装置１１１においては、番号印刷装置６とバーニッシング装置７２とが本発明でいう「最終処理装置」に相当する。
【００４７】
乾燥ユニット１１２は、番号印刷装置６の一部を構成するもので、シート３の搬送路を構成する第１０の渡胴１１３と乾燥胴１１４とを備えている。これらの第１０の渡胴１１３と乾燥胴１１４は、図示してはいないが、シート３の搬送方向下流側の端部を保持するくわえ爪装置を備えている。第１０の渡胴１１３は、シート３を第３の番号印刷用圧胴４９から受け取って搬送する。乾燥胴１１４は、シート３を第１０の渡胴１１３から受け取ってバーニッシング装置７２の第１のバーニッシング用圧胴７５に送る。乾燥胴１１４の下方近傍には乾燥装置１１５が配置されている。この乾燥装置１１５は、乾燥胴１１４によって搬送されているシート３の下面に紫外線を照射し、第１〜第３の番号印刷ユニット４１〜４３でシート３に印刷されたインキを乾燥（固化）させる。
【００４８】
この実施の形態による処理装置１１１においては、絵柄の印刷が終了しているシート３にエンボス装置５によってエンボス加工が施され、その後、このシート３の下面に番号印刷装置６によって番号が印刷される。そして、番号印刷のインキが固化した後にシート３の両面にバーニッシング装置７２によってニスが塗布される。このため、この処理装置１１１においても、紙幣を含む有価証券などの印刷の最終プロセスでエンボス加工を行うことができるので、エンボス加工後のシートを別の加工機に移し替えてこのシートにさらに印刷あるいはニスの塗布などの処理を施すことがなくなり、印刷の最終プロセスを行う際の給紙に支障をきたすことなくエンボス加工を行うことができる。
【００４９】
（第６の実施の形態）
本発明に係る処理装置は図７に示すように構成することができる。図７において、図１〜図６によって説明したものと同一もしくは同等の部材については、同一符号を付し詳細な説明を適宜省略する。
図７に示す処理装置１２１は、図６に示す処理装置とはエンボス装置５の位置が異なり、その他が同一のものである。
【００５０】
この実施の形態によるエンボス装置５は、番号印刷装置６の乾燥胴１１４とバーニッシング装置７２との間に設けられている。
エンボス装置５の第２の渡胴１５は、シート３を番号印刷装置６の乾燥胴１１４から受け取り、エンボス加工用圧胴１６に送る。また、エンボス加工後のシート３は、エンボス加工用圧胴１６からバーニッシング装置７２の第１のバーニッシング用圧胴７５に送られる。
【００５１】
このため、この実施の形態による処理装置１２１においては、絵柄の印刷が終了しているシート３の下面に番号印刷装置６によって番号が印刷され、その後、エンボス装置５によってエンボス加工が施されてからシート３の両面にバーニッシング装置７２によってニスが塗布される。したがって、この処理装置１２１においても、紙幣を含む有価証券などの印刷の最終プロセスでエンボス加工を行うことができるので、エンボス加工後のシートを別の加工機に移し替えてこのシートにさらに印刷あるいはニスの塗布などの処理を施すことがなくなり、印刷の最終プロセスを行う際の給紙に支障をきたすことなくエンボス加工を行うことができる。
【符号の説明】
【００５２】
１，７１，９１，１０１，１１１，１２１…処理装置、３…シート、５…エンボス装置、６…番号印刷装置、１６…エンボス加工用圧胴、１７…版胴、２４…くわえ爪装置（シート保持装置）、２７…爪台バー（第１版保持装置）、２９…巻取部材（第１版保持装置）、３４…版万力（第２版保持装置）、７２…バーニッシング装置、９２…上流側バーニッシング装置。
【図１】
2018070410.tif 000003
【図２】
2018070410.tif 000004
【図３】
2018070410.tif 000005
【図４】
2018070410.tif 000006
【図５】
2018070410.tif 000007
【図６】
2018070410.tif 000008
【図７】
2018070410.tif 000009
【国際調査報告】
2018070410.tif 000010
2018070410.tif 000011
2018070410.tif 000012
2018070410.tif 000013
2018070410.tif 000014
2018070410.tif 000015
2018070410.tif 000016